(57)【要約】【課題】施錠された不特定多数のダイヤル錠を一つの共通の鍵で解錠する。【解決手段】ダイヤル軸１３に遊嵌された複数個のダイヤルナンバー８と、止め金具５を着脱する施錠板を有するダイヤル錠１、および共通の鍵でカム操作できるカムを有するシリンダ錠２を具備し、ダイヤル錠１とシリンダ錠２とはダイヤル錠１のダイヤル軸１３の一端がシリンダ錠のカムにカム係合できるように取り付けられており、ダイヤル錠１の施錠板をダイヤルナンバー８のダイヤル操作と前記鍵によるカム操作のいずれでも解錠状態にしてダイヤル錠を解錠する。【選択図】図１
2006348728.tif 000002
【特許請求の範囲】
【請求項１】
軸方向に移動可能なダイヤル軸に中軸を介在して遊嵌された複数個のダイヤルナンバーと、止め金具を着脱する施錠板とを有するダイヤル錠、および共通の鍵でカム操作できるカムを有する鍵錠を具備し、ダイヤル錠と鍵錠とはダイヤル錠のダイヤル軸の一端が鍵錠のカムに係合できるように複合されており、ダイヤル錠の施錠板をダイヤルナンバーのダイヤル操作と前記鍵によるカム操作のいずれでも解錠状態にしてダイヤル錠を解錠できることを特徴とする複合ダイヤル錠前。
【請求項２】
前記中軸は、ダイヤルナンバーに嵌挿される筒状体の一端に大径部を有し、かつ該大径部の一部に合い溝が形成されていると共に、ダイヤル軸に嵌挿された状態で該軸と一緒に軸方向に移動してダイヤルナンバーに着脱可能になっており、前記施錠板は各ダイヤルナンバーの中軸の合い溝に係合する突起部を備えており、該突起部がダイヤル操作によって中軸の合い溝に落ち込むことにより、施錠板を施錠位置から解錠位置に移動させることを特徴とする請求項１に記載の複合ダイヤル錠前。
【請求項３】
前記鍵錠は、鍵によるカム操作でダイヤル錠のダイヤル軸と中軸をダイヤル軸の軸方向に移動させ、各ダイヤルナンバーの中軸を施錠板の突起から外すことにより、止め金具を係止している施錠板を施錠位置から解錠位置に移動させることを特徴とする請求項１または２に記載の複合ダイヤル錠前。
【請求項４】
前記ダイヤル錠のダイヤル軸に嵌挿された中軸はばねを備え、該ばねは中軸を介してダイヤル軸を鍵錠のカム側に付勢していることを特徴とする請求項１、２または３に記載の複合ダイヤル錠前。
【請求項５】
前記鍵錠が、施錠部がシリンダになっているシリンダ錠、板鍵または丸鍵で解錠する錠、棒鍵で解錠する箱錠またはカードの差し込みで解錠するカード錠であることを特徴とする請求項１〜４のいずれかに記載の複合ダイヤル錠前。
【請求項６】
前記ダイヤル錠は、鍵錠の鍵によるカム操作で各ダイヤルナンバーの中軸をそれぞれのダイヤルナンバーから離脱させて解錠状態にしたとき、各ダイヤルナンバーをダイヤル軸の周りに回転しないように離脱時の状態で固定し、各中軸をそれぞれのダイヤルナンバーに係合させて施錠状態にしたとき、前記固定を開放させるためのブロック手段を備えている請求項３〜５のいずれかに記載の複合ダイヤル錠前。
【請求項７】
前記ブロック手段は、鍵錠のカムでダイヤル軸を押してダイヤル錠を解錠するとき、先端のカム係合部が該カムと係合してダイヤル軸と同方向に同期移動するようにダイヤル錠に組み込まれているブロック片を有し、
該ブロック片は各ダイヤルナンバーの外周に設けた溝と係合する突起を各ダイヤルナンバーに対応して備えており、
各突起はブロック片がばねで鍵錠側に付勢された状態において各ダイヤルナンバーに非係合の状態で待機しており、ブロック片のカム係合部が鍵錠のカムで押圧されブロック片がダイヤル軸方向に移動すると、前記突起が各ダイヤルナンバーの外周の溝に係合してダイヤルナンバーをダイヤル軸の周りに回転しないように固定し、前記カム係合部がカムから開放されると、ブロック片がばねで元の位置に戻されて溝から外れるように構成されている請求項６の複合ダイヤル錠前。
【請求項８】
請求項１〜７のいずれかに記載の複合ダイヤル錠前が取り付けられている収納容器。
【請求項９】
収納容器が、かばんおよびケース等の携帯用容器、ロッカーおよび郵便私書箱等の備付け容器、またはコンテナ等の運搬用容器である請求項８の収納容器。
【発明の詳細な説明】
【技術分野】
【０００１】
本発明は、ダイヤル錠と鍵錠とを複合させた複合ダイヤル錠前に関し、特に不特定多数のダイヤル錠を特定の共通の鍵で解錠できる複合ダイヤル錠前に関する。
【背景技術】
【０００２】
近年、情報の管理や盗難防止などの面から、機密情報や貴重な物品を入れたかばんやケース（以下、かばん等とする）などの携帯用容器のセキュリティ管理が重要性を増している。このようなセキュリティ管理の最も一般的な方法としては、携帯用容器の施錠による管理が挙げられる。そして、セキュリティ管理の多様化もあり、このような目的に適うより安全度の高い使い勝手のよい錠前が求められている。
【０００３】
さらに、錠前の活用の拡大は錠前の使用形態や使用方法にも影響を及ぼし、かばん等に取り付けた錠前を特定された個人だけが開閉使用するに留まらずに、施錠された不特定多数のかばん等を特定された他の人が解錠するような用途が出現し、その使用形態や使用方法は複雑多岐となっている。
【発明の開示】
【発明が解決しようとする課題】
【０００４】
ダイヤル錠はかばん等の錠前として安全度の高い錠前の一つであり、種々の分野で使用されている。このダイヤル錠は、特定の個人だけで使用する限りにおいてその開閉は特に問題がない。しかし、ダイヤル錠で施錠された不特定多数のかばん等を、上記したように特定の者が解錠する場合には、特定の者がすべてのかばんのダイヤルナンバーを記憶していないと実質的に解錠できないため、安全度が高くてもこのような用途にはダイヤル錠を実用しえない現状にある。
【０００５】
更に、最近ではテロ防止のために各国の出入国管理が非常に厳しくなり、例えば米国においては搭乗者のかばん等の中身検査のために、施錠が施されているかばん等は錠が取り壊される場合がある。プライバシー保護の観点からかばん等に施錠したいのにもかかわらず、このような事態を回避するためにかばん等の施錠をしないことを余儀なくされることもある。この場合において、搭乗者がダイヤル錠で施錠したすべてのかばん等を、もし検閲官が一つの共通の鍵で容易に解錠できれば、錠の取り壊しもなく、かつプライバシー保護も可能となる。
【０００６】
したがって、安全度の高いダイヤル錠で施錠された不特定多数のかばん等を、一つの鍵で簡便に解錠できる錠前が強く求められている。
【０００７】
本発明の目的は、このような課題を解消できる複合ダイヤル錠前、すなわちダイヤル錠と鍵錠とを複合し、施錠された不特定多数のダイヤル錠を一つの共通の鍵で解錠できる複合ダイヤル錠前を提供することである。
【課題を解決するための手段】
【０００８】
本発明者は、上記の課題を解決するために、ダイヤル錠の解錠構造について鋭意検討した結果、汎用されているダイヤル錠に鍵錠を複合し、ダイヤル錠の解錠構造を変更することによって、該鍵錠の鍵で不特定多数のダイヤル錠を解錠できることを見出し、本発明に至ったものである。すなわち、
本発明は、軸方向に移動可能なダイヤル軸に中軸を介在して遊嵌された複数個のダイヤルナンバーと、止め金具を着脱する施錠板とを有するダイヤル錠、および共通0の鍵でカム操作できるカムを有する鍵錠を具備し、ダイヤル錠と鍵錠とはダイヤル錠のダイヤル軸の一端が鍵錠のカムに係合できるように複合されており、ダイヤル錠の施錠板をダイヤルナンバーのダイヤル操作と前記鍵によるカム操作のいずれでも解錠状態にしてダイヤル錠を解錠できることを特徴とする複合ダイヤル錠前を提供する。
【０００９】
本発明の好ましい実施形態において、上記ダイヤル錠の中軸は、ダイヤルナンバーに嵌挿される筒状体の一端に大径部を有し、かつ該大径部の一部に合い溝が形成されていると共に、ダイヤル軸に嵌挿された状態で該軸と一緒に軸方向に移動してダイヤルナンバーに着脱可能になっており、上記施錠板は各ダイヤルナンバーの中軸の合い溝に係合する突起部を備えており、該突起部がダイヤル操作によって中軸の合い溝に落ち込むことにより、施錠板を施錠位置から解錠位置に移動させることを特徴とする。
【００１０】
本発明の好ましい実施形態において、前記鍵錠は、鍵によるカム操作でダイヤル錠のダイヤル軸と中軸をダイヤル軸の軸方向に移動させ、各ダイヤルナンバーの中軸を施錠板の突起から外すことにより、止め金具を係止している施錠板を施錠位置から解錠位置に移動させることを特徴とする。
【００１１】
さらに、本発明において、前記ダイヤル錠のダイヤル軸に嵌挿された中軸はばねを備え、該ばねが中軸を介してダイヤル軸を鍵錠のカム側に付勢していることが好ましい。
【００１２】
本発明の好ましい実施形態において、前記ダイヤル錠は、鍵錠の鍵によるカム操作で各ダイヤルナンバーの中軸をそれぞれのダイヤルナンバーから離脱させて解錠状態にしたとき、各ダイヤルナンバーをダイヤル軸の周りに回転しないように離脱時の状態で固定し、各中軸をそれぞれのダイヤルナンバーに係合させて施錠状態にしたとき、前記固定を開放させるためのブロック手段を備えていることを特徴とする。
【００１３】
さらに、本発明は上記の錠前が取り付けられている、かばんおよびケース等の携帯用容器、ロッカーおよび郵便私書箱等の備付け容器、またはコンテナ等の運搬用容器などの収納容器を提供する。
【発明の効果】
【００１４】
本発明によれば、ダイヤル錠に鍵が同一の鍵錠を複合し、ダイヤル錠の解錠構造がダイヤル錠のダイヤル操作と鍵によるカム操作のいずれでも解錠できるように構成されているので、共通する一つの鍵で不特定多数のダイヤル錠を解錠できる。これにより、安全度の高いダイヤル錠でかばん等の収納容器を施錠でき、更に該ダイヤル錠で施錠された不特定多数の収納容器を共通の鍵で解錠できる利便性によって、収納容器等における錠前の使用形態や使用方法の自由度を拡大できる。
【００１５】
さらに、前記ダイヤル錠が、鍵錠の鍵によるカム操作で各ダイヤルナンバーの中軸をそれぞれのダイヤルナンバーから離脱させて解錠状態にしたとき、各ダイヤルナンバーをダイヤル軸の周りに回転しないように離脱時の状態で固定し、各中軸をそれぞれのダイヤルナンバーに係合させて施錠状態にしたとき、前記固定を開放させるためのブロック手段を備えていると、ダイヤル錠を鍵錠で解錠させても、ダイヤル錠の解錠番号を不変にできるので、錠前を同じ解錠番号で継続して使用できる。
【００１６】
また、本発明の錠前は、鍵でも解錠できるダイヤル錠に鍵錠を隣接させて複合化することにより構成できるため、ダイヤル錠や鍵錠のそれぞれとしては汎用のものと基本仕様がほとんど同じものを使用できるので、使い勝手の良い錠前を低コストで製造できる。
【発明を実施するための最良の形態】
【００１７】
次に、本発明を図面に基づいて具体的に説明する。但し、以下の図面は、本発明の好ましい実施形態を例示したものであり、本発明はこれに限定されない。
【００１８】
図１は本発明の好ましい実施形態に係る複合ダイヤル錠前（以下、本錠前とする）を分解して示す斜視図である。本錠前は、図１に示すようにダイヤル錠１にシリンダ錠２を隣接させた状態で複合して構成されている。すなわち、本錠前は、ケース３の内部にダイヤルナンバー８と施錠板とを有するダイヤル錠１とシリンダ錠２とを隣接して組み込んだ後、上方からカバー４を被せてケース３とカバー４とをねじ２９でねじ止めすることによって構成される。ケース３に被せるカバー４には、ダイヤル錠１のダイヤルナンバー８の頭部を露出できる窓孔９とシリンダ錠２の鍵孔１０が設けられていて、ダイヤル錠１のダイヤル操作とシリンダ錠２の鍵操作（カム操作ともいう）が外部から適宜できるようになっている。そして、錠前として使用するときには、止め金具５をダイヤル錠１の開口部６に差し込み、前記施錠板の係止部７を止め金具５の係止孔２８に引っ掛け、この状態でダイヤル錠１のダイヤルナンバー８を操作し施錠板を施錠位置に保持することにより、ダイヤル錠１で止め金具５を係止する。
【００１９】
本錠前においてダイヤル錠１は、止め金具５を係止している施錠板の解錠を汎用のダイヤル錠と同じようにダイヤル錠１のダイヤル操作でできるほかに、シリンダ錠２の鍵操作でもできる特徴を有している。ダイヤル錠１の施錠および解錠構造は、このシリンダ錠２の鍵操作による解錠構造を除いて、通常のダイヤル錠と実質的に同じである。つまり、ダイヤルナンバー８のダイヤル操作によって施錠板を施錠位置に保持して施錠し、ダイヤルナンバー８の番号合せによって施錠板を解錠位置に移動して解錠できる。
【００２０】
したがって、ダイヤル錠１の基本構造や仕様は通常のダイヤル錠と実質同じであるので、部品の多くは汎用のダイヤル錠のものが使用できる。なお、本例では４個のダイヤルナンバー８を使用しているが、ダイヤルナンバー８は必要に応じ増減できる。ダイヤルナンバー８を多くすると錠前としての安全度は高くできる反面、ダイヤル操作の負担が大きくなるので、通常は３〜５個程度が好ましい。
【００２１】
次に、ダイヤル錠１の施錠および解錠構造について図面を参照して具体的に説明する。図２は本錠前の施錠状態における断面図で、施錠板１１のみ斜線で示している。ダイヤル錠１は、図示するように中軸１５を介してダイヤル軸１３に遊嵌されているダイヤルナンバー８と施錠板１１を備えている。図７は本例の施錠板１１を示し、（ａ）は平面図、（ｂ）は正面図、（ｃ）は右側面図である。図示のように施錠板１１は切欠部１９と施錠部２０とを有する金属部材で、その最前中央に止め金具５の係止孔２８に引っ掛けて係止するための係止部７が下方に突出して設けられている。上記切欠部１９はケース内に施錠板１１とダイヤルナンバー８を組み込むとき、ダイヤルナンバー８の下半部を挿入するための開口部である。また、施錠部２０は図７（ｃ）に示すように突起部１２を備えており、該突起部１２は各ダイヤルナンバー８の中軸１５に係合して施錠板１１を施錠位置または解錠位置に保持するのに機能する。上記突起部１２は、施錠部２０をプレス加工で屈曲することによって形成できる。
【００２２】
図５および図６はそれぞれダイヤルナンバー８および中軸１５を示し、各図において（ｂ）は断面説明図、（ａ）は（ｂ）の左側面図である。図５に示すようにダイヤルナンバー８は中心部に中軸１５を嵌合するための貫通孔３１を有するリング状をしており、外周面にはダイヤルナンバーが刻字または表字され、また側部には前記貫通孔３１の周囲に凹凸３２が設けられている。この凹凸３２にダイヤル軸１３に嵌挿された中軸１５が着脱可能に噛み合い、各中軸１５は噛み合った状態においてダイヤルナンバー８のダイヤル操作でダイヤルナンバー８と一緒に回動する。
【００２３】
一方、中軸１５は、図６に示すようにダイヤル軸１３に挿通するための軸孔３３を有する筒状体で、その片端（図６では左側）に大径部１６を備えている。該大径部１６は、ダイヤル軸１３に嵌挿された状態において上記施錠板１１の施錠部２０に対し係合しやすいように、該施錠部２０に向かって下りのスロープ３７が形成されている。また、大径部１６の外周部には、施錠板１１の前記突起部１２が落ち込むための合い溝３４が外周部の一部を切り欠いて形成されている。この場合、合い溝３４と施錠板１１の突起部１２とは、該突起部１２が合い溝３４に円滑に落ち込みかつ容易に脱出できるように、同一もしくはほぼ同一の形状であるのが好ましく、その形状としては例えば円弧面などの湾曲面が好ましい。
【００２４】
さらに、中軸１５には大径部１６に近接して係合用突起３５が設けられている。この係合用突起３５は軸孔３３の周囲に例えば３〜４個が等間隔で形成されており、中軸１５をダイヤルナンバー８の貫通孔３１に嵌合したとき、ダイヤルナンバー８の前記凹凸３２に噛み合うことができる。なお、中軸１５の軸孔３３は、ダイヤル軸１３に遊嵌できるようにダイヤル軸１３の外径より僅かに大きくなっており、またダイヤルナンバー８の貫通孔３１に嵌挿する筒状部は、該貫通孔３１より僅かに細くなっている。
【００２５】
本錠前においてダイヤル状１は次のようにして組立てることができる。すなわち、先ずダイヤルナンバー８の貫通孔３１に中軸１５の筒状部を挿通してダイヤルナンバー８の凹凸３２と中軸１５の係止用突起３５とを噛み合わせ、この状態でダイヤルナンバー８と中軸１５とをダイヤル軸１３に挿通する。同様にして４個のダイヤルナンバー８と中軸１３を、図２のようにダイヤル軸１３に挿通する。この場合、ダイヤル軸１３のシリンダ錠２側にはストッパー１４が設けてあり、ダイヤル軸１３に挿通された４個のダイヤルナンバー８と中軸１５は該ストッパー１４を起点にして直列される。次いで、ダイヤル軸１３の片端（図２の右側）を、ストッパー１４との間に変換レバー１８を介在させて支持板３６の軸孔に挿通して保持し、他端にはばね１７を装着して同様に支持板３６’で保持する。
【００２６】
さらに、このように支持板３６、３６’に保持されたダイヤルナンバー８の下半部に施錠板１１を設置し、さらに支持板３６の開口孔３０に後述のシリンダ錠２を組み込んだ後、全体をケース３の内部に収容し、支持板３６および３６’をそれぞれケース３の切欠３８および３８’（図１参照）に係止させて固定する。この場合、図示はしないが、ケース内に収容される施錠板１１の下部には弾性体が設けられる。この弾性体は施錠板１１を常時上方に弾性支持できるものであればよく、板ばねやコイルばねなどが例示され、特に板ばねが好ましく使用できる。そして、板ばねの場合、あらかじめ施錠板１１に例えば溶接または接着等により取り付けておくと、組立て作業が容易にできる。ケース３内に組み込まれた施錠板１１は、かかる弾性体によって４個の切欠部１９にそれぞれダイヤルナンバー８が嵌合された状態で弾性支持される。
【００２７】
また、支持板３６、３６’に保持されたダイヤル軸１３は、ケース内において軸方向に移動できるようになっており、該ダイヤル軸１３に嵌挿された各中軸１５がばね１７によって押されるため、ダイヤル軸１３と該軸に嵌挿されている中軸１５はシリンダ錠側に向かって軸方向に移動し、ストッパー１４が変換レバー１８に当接するまで移動する。これにより、ダイヤル軸１３の先端部は支持板３６から突出しシリンダ錠２に係合する。このとき、ダイヤル軸１３に嵌挿されている４個の中軸１５は、それぞれの係止用突起３５がダイヤルナンバー８の前記凹凸３２（図５参照）に噛み合っている。それ故に、この状態でダイヤルナンバー８をダイヤル操作すると、該ダイヤルナンバーに噛み合っている中軸１５はそれぞれ他の中軸と独立してダイヤル軸１３の周りに回転される。
【００２８】
なお、後述するように前記変換レバー１８でダイヤル軸１３を左方向に引き寄せ、この状態で変換レバー１８をケース３に係止しておくと、ダイヤル軸１３の先端をシリンダ錠２から離隔させることができるので、シリンダ錠２を支持板３６にセットする作業、あるいは本錠前を取り付けする作業がしやすくなる。また、本例ではシリンダ錠２を支持板３６にセットしダイヤル錠１と一緒にケース３内に収容したが、シリンダ錠２はダイヤル錠１を収容した後にセットしてもよい。
【００２９】
次に、シリンダ錠２について説明する。図８は、好ましいシリンダ錠の一つであるディスクシリンダ錠の分解図である。このディスクシリンダ錠（以下、単にシリンダ錠ともいう）の基本構造は、図示するように汎用のものと実質的に同一であるので、詳述は省略しダイヤル錠と複合する部分に重点をおいて概説する。
【００３０】
すなわち、このシリンダ錠２は、シリンダ部２４と該シリンダ部に組み込まれた内筒（不図示）を介して鍵２１の鍵操作で回動するカム２３とを備えている。このカム２３には取付孔２６が設けられており、該取付孔２６を前記内筒の下端に設けたカム取付端２５にワッシャ２５を介在させて嵌着し、この状態でカム２３をねじ２７によりシリンダ部２４の内筒に取り付ける。そして、シリンダ部２４の鍵穴に鍵２１を差し込み、その先部の複数個のピン押し２２で内筒のロックを開放することによって、鍵２１でカム２３を矢印方向に回すことができる。
【００３１】
本錠前は、前記したように上記シリンダ錠２をダイヤル錠１と複合し、シリンダ錠２のカム２３でダイヤル錠１のダイヤル軸を動かして解錠するものである。ケース３内にダイヤル錠１と隣接して組み込まれたシリンダ錠２は、前記カム２３がダイヤル錠１のダイヤル軸１３（図８に鎖線で示す）に係合するように構成されているので、カム２３が鍵２１によって回動されると、ダイヤル錠１のダイヤル軸１３がカム２３によって軸方向、すなわちダイヤル錠側に押され、施錠されているダイヤル錠１が解錠される。このシリンダ錠２によるダイヤル錠１の解錠については、後述する。
【００３２】
図２は、上記のように構成されたダイヤル錠１の施錠板１１が施錠位置にある状態を示している。つまり、ダイヤル錠１の施錠状態を示している。施錠状態の施錠板１１は、図２に示すように上記中軸１５の大径部１６の、合い溝３４以外の部分が施錠板１１の施錠部２０に設けた突起部１２に接触係合しており、これにより施錠板１１は弾性体（図示せず）の弾性力に抗して下方に押し下げられ状態（施錠位置）で保持される。止め金具５の係止孔２８（図１参照）に、施錠板１１の係止部７を係止した状態で、施錠板１１をこのように押し下げた状態で保持すると、ダイヤル錠２と止め金具５とを係止できる。この場合、４個のダイヤルナンバー８の少なくとも一つにおいて、中軸１５の大径部１６が施錠板１１を押し下げると、施錠板１１は施錠位置に保持される。しかし、安全度の面から施錠板はできるだけ多いダイヤルナンバーの中軸によって、好ましくは図２のように４個のすべてのダイヤルナンバーの中軸によって施錠位置に保持されるのが好ましい。なお、この施錠板によるダイヤル錠の施錠は、通常のダイヤル錠と実質的に同じである。
【００３３】
図３は、施錠位置にあるダイヤル錠１の上記施錠板１１をダイヤル錠１のダイヤル操作で解錠位置に移動させた状態を示す。施錠状態にあるダイヤル錠１は、通常のダイヤル錠と同様の方法によって解錠できる。すなわち、ダイヤル錠１を解錠できるダイヤルナンバーは、各ダイヤルナンバーごとに予め決まっているので、すべてのダイヤルナンバー８をダイヤル操作してこの決められている解錠番号に合せると、各ダイヤルナンバー８の中軸１５の大径部１６に設けた合い溝３４が施錠板１１の施錠部２０の突起部１２に整合し、その突起部１２が合い溝３４に落ち込む。これにより、それまで大径部１６により押し下げられていた施錠板１１は、大径部１６の押し下げが解消されるため、付設されている弾性体の作用で持ち上げられ解錠位置に移動する。その結果、ダイヤル錠１が解錠され、止め金具５を外すことができる。
【００３４】
次に、施錠されているダイヤル錠１をシリンダ錠２の鍵操作で解錠する場合について説明する。図４はダイヤル錠１がシリンダ錠２の鍵２１により解錠された状態を示す。シリンダ錠２に鍵２１を差し込み、カム２３のロックを解いて回すと、カム２３はこの鍵操作で回動しそのカム面でダイヤル錠１のダイヤル軸１３をばね１７の弾性力に抗して軸方向に押す。図４においてダイヤル軸１３がカム２３によって左方向に押されると、ダイヤル軸１３に設けられているストッパー１４によって４個の中軸１５がすべてダイヤルナンバー８から離脱して左方向に移動する。これにより、施錠板１１を施錠位置に保持していた各中軸の大径部１６が、図４に示すように施錠板１１の突起部１２から一斉に外れるため、施錠板１１が前記した図３の場合と同じように弾性体の作用で持ち上げられて解錠位置に移動し、ダイヤル錠１を解錠できる。したがって、この状態で止め金具をダイヤル錠１から外すことができる。
【００３５】
さらに、このように解錠状態にあるダイヤル錠１は、鍵２１によってカム２３をダイヤル軸１３から外すと、カム２３の押力がなくなるので、４個の中軸１５がばね１７の弾性力で右方向に元の位置まで押し戻され、それと同時に中軸１５がストッパー１４を右方向に押すため、ダイヤル軸１３も右方向に移動して元の状態になる。各中軸１５が元の位置に戻ると、それぞれの大径部１６が施錠板１１の突起部１２に係合し施錠板を再び押し下げるため、施錠板１１は施錠位置となる。そこで、このダイヤル錠１を解錠状態にするには、前記したダイヤル錠１のダイヤルナンバー８の番号合せが必要となる。
【００３６】
なお、本錠前において変換レバー１８が取り付けられているケース部には、ダイヤル軸１３に沿って切欠が設けられており、ダイヤル軸１３をシリンダ錠２のカム操作で移動させるのと同様に変換レバー１８で左方向に所定の距離だけ移動させ、同時に中軸１５を各ダイヤルナンバー８から離脱させて左方向に動かし、施錠板１１を解錠位置に移動させることができる。したがって、この状態で変換レバー１８をケースに係止しておくと、ダイヤル錠１をダイヤルナンバーの操作に関係なく、常時、解錠状態に保持できる。
【００３７】
本錠前は鍵錠がシリンダ錠２である場合の複合ダイヤル錠であるが、本発明は各種の鍵錠が使用できる。すなわち、本発明において鍵錠としては施錠部がシリンダになっているシリンダ錠、板鍵もしくは丸鍵で解錠する錠、棒鍵で解錠する箱錠、またはカードの差し込みで解錠するカード錠などを使用できる。そして、シリンダ錠としては例示のピンシリンダ錠のほかに、ディスクシリンダ錠、ディンプルピンシリンダ錠、マグネットピンシリンダ錠およびロータリータンブラー錠など、公知のシリンダ錠が適宜使用できる。また、鍵錠のカムは鍵自体がカム機能を有するものも含んでいる。
【００３８】
以上、本発明に係る複合ダイヤル錠前の基本構成について説明したが、このような複合ダイヤル錠前においては、鍵錠の鍵によるカム操作でダイヤル錠を解錠させたとき、中軸はそれぞれのダイヤルナンバーから離脱されているため、この状態でダイヤルナンバーが予期しない回転をすると、回転したダイヤルナンバーの解錠番号が変わってしまうおそれがある。そこで、本発明の好ましい複合ダイヤル錠前では、鍵錠の鍵によるカム操作で各ダイヤルナンバーの中軸をそれぞれのダイヤルナンバーから離脱させてダイヤル錠を解錠状態にしたとき、各ダイヤルナンバーがダイヤル軸の周りに回転しないように、さらに正確には各ダイヤルナンバーをそれぞれの離脱された中軸に対して回転させないように一時的に固定するためのブロック手段を備えている。以下このブロック手段について図面に基づいて説明する。
【００３９】
本例のブロック手段は、図９に示すブロック片４０を複合ダイヤル錠前のダイヤル錠１に組み込むことにより構成される。図１０はブロック片４０をダイヤル錠１に組み込んだときの横断面説明図であり、図１１はその縦断面説明図である。ここで、複合ダイヤル錠前のダイヤル錠１およびシリンダ錠２（鍵錠）は、前記したものと構成および機能が実質的に同一であるので、その説明および一部図面は省略する。
【００４０】
ブロック片４０は、図９に示すように片端にダイヤル錠１のケース３に取り付けるための支軸４２を有し、他端にシリンダ錠２のカムに係合させるためのカム係合部４１を有する薄肉片で、ダイヤル錠１のダイヤルナンバーの外側に組み込むことができる。このブロック片４０の支軸４２とカム係合部４１との間の主要部４６には、ダイヤルナンバーの外周に設けた後述の溝４５に係合する突起４３が各ダイヤルナンバーに対応して設けられている。突起４３の形状はダイヤルナンバーの溝４５に係合してダイヤルナンバーを固定できるように適宜決められる。ブロック片４０の材質としては、金属や合成樹脂などが使用できる。
【００４１】
このブロック片４０は、ダイヤル錠１に次のようにして組み込むことができる。すなわち、図１０および図１１に示すようにダイヤル錠１のケース３の例えば側部の所定の位置にダイヤル軸１３と同方向に切欠き部（不図示）を設け、該切欠き部（不図示）にブロック片４０の主要部４６を差し込み、係止部４８との間にばね４７を介在させて支軸４２をケース３に設けた取付け孔に挿通し、カム係合部４１がシリンダ錠２のカム２３に係合するようにシリンダ錠２側に突出させてブロック片４０をダイヤル錠１に組み込み、ついでダイヤル錠１の本体を組み立てることにより得られる。ダイヤル錠１に組み込まれたブロック片４０は係止部４８が最外のダイヤルナンバー８に当接した状態で、ダイヤルナンバー８の外側に配置される。この場合、ブロック片４０に凸部４４を設けておくと、ブロック片４０を凸部４４でケース３に仮留めできるため、ダイヤル錠１の組立て作業が容易となる。
【００４２】
一方、ダイヤルナンバー８の外周部には、該ブロック片４０の突起４３が係合可能な溝４５が設けられている。この溝４５は図１３に示すようにダイヤルナンバー８の外周に刻字または表字されている数字と数字の真中に設けることが好ましい。このように溝４５を設けることにより、各ダイヤルナンバー８の数字が一列に並べられると、各ダイヤルナンバー８の溝４５も同様に並列される。ブロック片４０をダイヤル錠１に設ける場合、ブロック片４０を組み込む位置は、このように並列された溝４５に一致するように選定される。所定の位置とは、このような位置を意味する。溝４５の幅や深さ等は、ブッロク片４０の突起４３が該溝に入り係止できればよく限定されないが、幅は突起４３が係合しやすいように突起４３より少し大き目であることが好ましい。また、デザイン面から溝４５は一般的にダイヤルナンバー８の全幅に形成されるが、突起４３が充分に係合できれば必ずしも全幅に形成されなくてもよい。さらに、この溝４５でダイヤルナンバー８の数字位置を正確に規制することにより、各ダイヤルナンバー８の解錠番号を正確に並列させて解錠しやすくすることができる。
【００４３】
ダイヤル錠１に組み込まれたブロック片４０は、カム係合部４１がシリンダ錠２のカム２３に係合しない状態では、図１０に示すように係止部４８がダイヤルナンバー８によって係止されるまでばね４７によってシリンダ錠２側に付勢されており、各突起４３はそれぞれのダイヤルナンバー８に非係合の状態にある。
【００４４】
しかし、図１２に示すようにシリンダ錠２のカム２３でダイヤル錠２のダイヤル軸１３を押してダイヤル錠２を解錠すると、カム２３が同時にブロック片４０のカム係合部４１に当接して押すために、ブロック片４０はばね４７に抗してダイヤル軸１３と同方向に同期移動する。これにより、ダイヤル錠２の解錠とほぼ同時に、ブロック片４０の各突起４３が図１３に示すようにダイヤルナンバー８の溝４５に係合されるために、ダイヤルナンバー８はダイヤル錠１の解錠時の状態でそのままダイヤル軸１３の周りに回転しないように固定される。一方、各ダイヤルナンバー８から離脱された状態の中軸１５は、ダイヤル軸１３上においてばね１７によってお互いに強く押され合った状態で両側から保持されているので同様に回転を生じない。
【００４５】
その結果、ダイヤル錠１のダイヤル軸１３に対する、シリンダ錠２のカム２３の係合が解消されると、ダイヤル錠１の各ダイヤルナンバー８の中軸１５は、ばね１７の力でシリンダ錠側に押されてそれぞれのダイヤルナンバー８に解錠時の状態で係合される。そして、これと同期してブロック片４０もカム２３から開放されるので、ばね４７によってシリンダ錠側に移動し、突起４３が各ダイヤルナンバー８の溝４５から離脱して非係合の元の状態となる。これにより、ダイヤル錠１の各ダイヤルナンバーの解錠番号は不変であり、予め設定した解錠番号によりダイヤル錠１を継続的に使用できる。
【００４６】
上述のブロック片は、製造加工および組立て作業の面で優れているが、ブロック手段はこれに限定されない。例えば、本例ではブロック片を鍵錠のカムで直接操作しているが、ブロック片をダイヤル錠のダイヤル軸に連結させて設け、ダイヤル軸を鍵錠のカムでカム操作することによりダイヤル軸に連動してブロック片を同期移動させて、ダイヤルナンバーを回転しないように同様に固定できる。
【００４７】
本発明に係る錠前は、以上説明したようにダイヤル錠と鍵錠とを複合化した構成となっているので、一つの共通の鍵でカム操作できる鍵錠を解錠番号が異なるダイヤル錠と複合することによって、従来のダイヤル錠と同じように施錠し、かつダイヤル操作で予め設定した解錠番号に合せて解錠できると共に、施錠された不特定多数のダイヤル錠を一つの鍵ですべて解錠できるという利点が得られる。
【００４８】
これにより、本発明に係る錠前は各種の収納容器の錠前として特に優れた効果を有し、例えば不特定多数の者が解錠番号が異なるダイヤル錠でそれぞれ施錠した収納容器を、解錠番号を記憶していなくても一つの共通の鍵ですべて解錠できる。
【００４９】
さらに、本発明の錠前においてダイヤル錠および／または鍵錠は、汎用されているダイヤル錠や鍵錠とその基本構造や仕様が、鍵でも解錠できるダイヤル錠の解錠構造を除いてほぼ同一であるので、錠前の設計（デザイン）、製造、取り付け等においてこれら従来のダイヤル錠や鍵錠の技術が利用もしくは使用できる有利性を有している。
【００５０】
本発明において上記収納容器としては、かばん、旅行ケースや個人情報収納ケース等のケースおよび貴重品入れ等の携帯用容器、ロッカーおよび郵便私書箱等の備付け容器、またはコンテナ等の運搬用容器などが例示される。図９は、本発明の錠前を秘密性の大きい書類や貴重な品物を収納するための携帯用ケース３９に適用した場合を例示したもので、複合したダイヤル錠１と鍵錠（シリンダ錠２）、および取付け金具５を、従来のダイヤル錠または鍵錠の場合と同様に携帯用ケース３９に取り付けできる。この携帯用ケースを用いると、施錠された解錠番号が異なるすべてのダイヤル錠１を該ダイヤル錠と複合している鍵錠の共通の鍵ですべて解錠できるので、不特定多数の者が施錠した携帯用ケースを、特定された者がダイヤル錠を解錠番号に関係なく一つの鍵で解錠して開けることができる。具体的には、管理者や特定者が解錠用の鍵を持っていれば、ダイヤル錠の解錠番号が分からなくても直ちに解錠できる。これは、携帯用ケース以外の他の収納容器にあっても同様である。
【産業上の利用可能性】
【００５１】
本発明に係わる錠前は、ダイヤル錠に鍵錠を複合してなる錠前で、施錠された不特定多数のダイヤル錠をその解錠番号が分からなくても一つの鍵で解錠できるので、予めお互いに合意されている企業内もしくは企業間、あるいは組織と特定者間の各種収納容器の錠前として適用できる。
【図面の簡単な説明】
【００５２】
【図１】本発明の好ましい実施形態に係わる錠前の分解斜視図。
【図２】図１の錠前の施錠状態における断面説明図。
【図３】図１の錠前がダイヤル錠のダイヤル操作で解錠された時の断面説明図。
【図４】図１の錠前がシリンダ錠の鍵操作で解錠された時の断面説明図。
【図５】（ａ）は（ｂ）のダイヤルナンバーの左側面図、（ｂ）はダイヤルナンバーの断面説明図。
【図６】（ａ）は（ｂ）の中軸の左側面図、（ｂ）は中軸の断面説明図。
【図７】（ａ）は施錠板の平面図、（ｂ）はその正面図、（ｃ）はその右側面図。
【図８】シリンダ錠の分解斜視図。
【図９】本発明の好ましいブロック片の平面図。
【図１０】本発明の他の好ましい実施形態である複合ダイヤル錠前の施錠状態における横断面説明図。
【図１１】図１０の縦断面説明図。
【図１２】図１０の複合ダイヤル錠前の解錠状態における横断面説明図。
【図１３】図１２のＡ−Ａにおける断面の部分図。
【図１４】本発明に係わる錠前を取り付けた携帯用ケースの部分斜視図。
【符号の説明】
【００５３】
１：ダイヤル錠          ２：シリンダ錠              ３：ケース
４：カバー              ５：取付け金具              ６：開口部
７：係止部              ８：ダイヤルナンバー        ９：窓孔
１０：鍵孔              １１：施錠板                １２：突起部
１３：ダイヤル軸        １４：ストッパー            １５：中軸
１６：大径部            １７：ばね                  １８：変換レバー
１９：切欠部            ２０：施錠部                ２１：鍵
２２：ピン押し          ２３：カム                  ２４：シリンダ部
２５：ワッシャ          ２６：取付孔                ２７：ねじ
２８：係止孔            ２９：ねじ                  ３０：開口孔
３１：貫通孔            ３２：凹凸                  ３３：軸孔
３４：合い溝            ３５：係止用突起            ３６、３６’：支持板
３７：スロープ          ３８：切欠                  ３９：携帯用ケース
４０：ブロック片        ４１：カム係合部            ４２：支軸
４３：突起              ４５：溝                    ４６：主要部
４７：ばね
【図１】
2006348728.tif 000003
【図２】
2006348728.tif 000004
【図３】
2006348728.tif 000005
【図４】
2006348728.tif 000006
【図５】
2006348728.tif 000007
【図６】
2006348728.tif 000008
【図７】
2006348728.tif 000009
【図８】
2006348728.tif 000010
【図９】
2006348728.tif 000011
【図１０】
2006348728.tif 000012
【図１１】
2006348728.tif 000013
【図１２】
2006348728.tif 000014
【図１３】
2006348728.tif 000015
【図１４】
2006348728.tif 000016